(57)【要約】【課題】従来技術の欠点を低減するために受領信号を形成する装置および方法を提供することである。【解決手段】受領信号の形成装置であって、プロセッサは、プロセッサクロック信号によりクロッキングされ、中断命令に基づいて静止状態からウェークアップされ、動作状態において前記中断命令を処理し、該中断命令の処理後または該中断命令の処理中に、プロセッサクロック信号に同期する受領信号を形成し、少なくとも1つの周辺機器は、前記プロセッサクロック信号には非同期で経過する周辺機器クロック信号によりクロッキングされ、前記中断命令を周辺機器クロック信号に同期して前記プロセッサに送信し、第1の論理回路は、プロセッサクロック信号に同期する受領信号から周辺機器クロック信号に同期する受領信号を形成し、該同期する受領信号により周辺機器に対して、中断命令が処理されたことが通知される、ことを特徴とする。【選択図】図１
2009282780.tif 000002
【特許請求の範囲】
【請求項１】
プロセッサ（21）と、少なくとも1つの周辺機器（23，25）と、第1の論理回路（FF7〜FF9）を有する、受領信号の形成装置であって、
前記プロセッサ(21)は、プロセッサクロック信号(CLK1)によりクロッキングされ、中断命令(31)に基づいて静止状態からウェークアップされ、動作状態において前記中断命令を処理し、該中断命令の処理後または該中断命令の処理中に、プロセッサクロック信号(CLK1)に同期する受領信号(QS)を形成し、
前記少なくとも1つの周辺機器(23，25)は、前記プロセッサクロック信号(CLK1)には非同期で経過する周辺機器クロック信号(CLK2)によりクロッキングされ、前記中断命令(31)を周辺機器クロック信号(CLK2)に同期して前記プロセッサ(21)に送信し、
前記第1の論理回路(FF7〜FF9)は、プロセッサクロック信号(CLK1)に同期する受領信号(QS)から周辺機器クロック信号(CLK2)に同期する受領信号(FF9S)を形成し、
該同期する受領信号により周辺機器(23，25)に対して、中断命令が処理されたことが通知される、ことを特徴とする受領信号の形成装置。
【請求項２】
請求項1記載の装置において、
前記第1の論理回路（FF7〜FF9）は第1のフリップフロップ(FF7)を有し、
該第1のフリップフロップはプロセッサクロック信号(CLK1)によりクロッキングされ、
該第1のフリップフロップの入力信号は少なくとも間接的にプロセッサクロック信号(CLK1)に同期する受領信号(QS)であり、
前記第1の論理回路(FF7〜FF9)は、周辺機器クロック信号(CLK2)に同期する受領信号(FF9S)を形成するために第2のフリップフロップ(FF8)を有し、
該第2のフリップフロップ(FF8)は周辺機器クロック信号(CLK2)によりクロッキングされ、
該第2のフリップフロップの入力信号は前記第1のフリップフロップ(FF7)の出力信号(FF7S)である、ことを特徴とする装置。
【請求項３】
請求項2記載の装置において、
前記第1の論理回路(FF7〜FF9)は、カスケード接続された複数のフリップフロップからなる第2のフリップフロップ（FF８，FF9)を有し、当該複数のフリップフロップはそれぞれ周辺機器クロック信号(CLK2)によりクロッキングされ、
第2のフリップフロップの最後に接続されたフリップフロップ(FF9)の出力信号は、周辺機器クロック信号(CLK2)に同期する受領信号(FF9S)である、ことを特徴とする装置。
【請求項４】
請求項1から3までのいずれか一項記載の装置において、
第2の論理回路（FF1〜FF6、33）が、周辺機器クロック信号(CLK2)に同期して送信された中断命令(31)からプロセッサクロック信号(CLK1)に同期して経過する中断命令(INTERS)を形成し、該中断命令はプロセッサ(21)に供給される、ことを特徴とする装置。
【請求項５】
請求項4記載の装置において、
第2の論理回路はシフトレジスタ(FF3〜FF5)を有し、
該シフトレジスタの入力信号は、周辺機器クロック信号(CLK2)に同期して送信された中断命令(31)であるか、または周辺機器クロック信号(CLK2)に同期して送信された中断命令(31)に同期する信号(FF2S)であり、
第2の論理回路は、前記シフトレジスタ(FF3〜FF5)に後置接続された論理回路(33)を有し、
該後置接続された論理回路は、シフトレジスタ(FF3〜FF5)の出力信号(FF5S)のエッジを識別し、
第2の論理回路はフリップフロップ(FF6)を有し、
該フリップフロップはプロセッサクロック信号(CLK1)によりクロッキングされ、
その入力信号は、エッジを識別するための論理回路(33)の出力信号であり、
その出力信号は、プロセッサクロック信号(CLK1)に同期して経過する中断命令(INTERS)である、ことを特徴とする装置。
【請求項６】
請求項1から5までのいずれか一項記載の装置を、タイヤ(2)の少なくとも1つのタイヤパラメータを検出するためのホイール電子回路に使用し、
前記タイヤには前記ホイール電子回路(3)が配属されており、
該ホイール電子回路は、タイヤパラメータを検出するための少なくとも1つのセンサ(24)と、送信器(22)とを有し、
前記プロセッサ(21)は、センサ(24)の中断命令に基づいてタイヤパラメータを検出し、該タイヤパラメータに関するメッセージを形成し、該メッセージを前記送信器(24)が送信する、ことを特徴とする使用法。
【請求項７】
受領信号を形成するための方法であって、以下の方法ステップを有する：
・周辺機器クロック信号(CLK2)に同期した中断命令(31)が、周辺機器クロック信号(CLK2)によりクロッキングされる周辺機器(23，25)によって形成されるステップ、
・プロセッサ(21)が前記中断命令に基づきウェークアップされ、これによりプロセッサはその静止状態から動作状態に移行され、プロセッサにより中断命令が処理され、プロセッサ(21)は周辺機器クロック信号(CLK2)とは非同期のプロセッサクロック信号(CLK1)によりクロッキングされるステップ、
・プロセッサクロック信号(CLK1)に同期した受領信号(QS)が、プロセッサ(21)が前記中断命令を処理した後に形成されるか、またはプロセッサ(21)が前記中断命令を処理するときに形成されるステップ、そして
・周辺機器クロック信号(CLK2)に同期した受領信号(FF9S)が、前記プロセッサクロック信号(CLK1)に同期した前記受領信号(QS)から第1の論理回路(FF7〜FF9)によって形成され、これにより周辺機器(23，25)に対して中断命令が処理されたことを通知するステップ、
ことを特徴とする形成方法。
【請求項８】
請求項7記載の方法において、
前記第1の論理回路（FF7〜FF9）は第1のフリップフロップ(FF7)を有し、
該第1のフリップフロップはプロセッサクロック信号(CLK1)によりクロッキングされ、
該第1のフリップフロップの入力信号は少なくとも間接的にプロセッサクロック信号(CLK1)に同期する受領信号(QS)であり、
前記第1の論理回路(FF7〜FF9)は、周辺機器クロック信号(CLK2)に同期する受領信号(FF9S)を形成するために第2のフリップフロップ(FF8)を有し、
該第2のフリップフロップ(FF8)は周辺機器クロック信号(CLK2)によりクロッキングされ、
該第2のフリップフロップの入力信号は前記第1のフリップフロップ(FF7)の出力信号(FF7S)である、ことを特徴とする方法。
【請求項９】
請求項8記載の方法において、
前記第1の論理回路(FF7〜FF9)は、カスケード接続された複数のフリップフロップからなる第2のフリップフロップ（FF８，FF9)を有し、当該複数のフリップフロップはそれぞれ周辺機器クロック信号(CLK2)によりクロッキングされ、
第2のフリップフロップの最後に接続されたフリップフロップ(FF9)の出力信号は、周辺機器クロック信号(CLK2)に同期する受領信号(FF9S)である、ことを特徴とする方法。
【請求項１０】
請求項7から9までのいずれか一項記載の方法において、
第2の論理回路（FF1〜FF6、33）が、周辺機器クロック信号(CLK2)に同期して送信された中断命令(31)からプロセッサクロック信号(CLK1)に同期して経過する中断命令(INTERS)を形成し、該中断命令はプロセッサ(21)に供給される、ことを特徴とする方法。
【請求項１１】
請求項11記載の方法において、
第2の論理回路はシフトレジスタ(FF3〜FF5)を有し、
該シフトレジスタの入力信号は、周辺機器クロック信号(CLK2)に同期して送信された中断命令(31)であるか、または周辺機器クロック信号(CLK2)に同期して送信された中断命令(31)に同期する信号(FF2S)であり、
第2の論理回路は、前記シフトレジスタ(FF3〜FF5)に後置接続された論理回路(33)を有し、
該後置接続された論理回路は、シフトレジスタ(FF3〜FF5)の出力信号(FF5S)のエッジを識別し、
第2の論理回路はフリップフロップ(FF6)を有し、
該フリップフロップはプロセッサクロック信号(CLK1)によりクロッキングされ、
その入力信号は、エッジを識別するための論理回路(33)の出力信号であり、
その出力信号は、プロセッサクロック信号(CLK1)に同期して経過する中断命令(INTERS)である、ことを特徴とする方法。
【請求項１２】
請求項10または11記載の方法において、
第2の論理回路（FF1〜FF6、33）が、周辺機器クロック信号(CLK2)に同期して送信された中断命令(31)からプロセッサ(21)に対するウェークアップ信号(WS)を形成する、ことを特徴とする方法。
【請求項１３】
請求項7から12までのいずれか一項記載の方法において、
プロセッサクロック信号(CLK1)は、周辺機器クロック信号(CLK2)よりも高いクロック周波数を有する、ことを特徴とする方法。
【請求項１４】
請求項7から13までのいずれか一項記載の方法において、
プロセッサ(21)、周辺機器(23，25)、および第1の論理回路（FF7〜FF9）は、ホイール電子回路(3)が配属されたタイヤ(2)の少なくとも1つのタイヤパラメータを検出するためのホイール電子回路(3)の一部であり、
タイヤ(2)のタイヤパラメータをホイール電子回路(3)のセンサ(24)によって測定し、
タイヤ(2)のタイヤパラメータに関するメッセージをプロセッサ(21)により中断命令に基づいて形成し、
前記メッセージをホイール電子回路(3)の送信器(22)によって送信する、ことを特徴とする方法。
【発明の詳細な説明】
【技術分野】
【０００１】
本発明は、ホイール電子回路における受領信号の形成装置および、受領信号の使用法に関する。
【背景技術】
【０００２】
とりわけ埋込型システムでは、システムのプロセッサが通常はエネルギーを節約するスリープモードまたは静止状態（アイドル状態）にあり、この状態からプロセッサはシステムの周辺機器から発せられる中断命令によりウェークアップされる。中断命令は英語ではインターラプトリクエストと称される。ウェークアップの後、プロセッサは中断命令を処理し、これを受領確認する。とりわけ周辺機器がプロセッサよりも緩慢なクロックでクロック制御される場合、中断命令を発した周辺機器が受領確認を受け取らず、場合により再度、中断命令をプロセッサに送信することがある。このことによりプロセッサは不要に再度ウェークアップされる。このことはシステムのエネルギー消費に不利に作用する。
【０００３】
刊行物DE10127424A1から、周辺機器と非同期クロッキングする電子回路が公知である。この電子回路によって効率的な動作を実行することができる。刊行物DD299782A7から、マイクロプロセッサシステムにおける種々のコンポーネントのための同期装置が公知である。電子ユニットのエネルギーコントロールを行うための別の電子回路が刊行物EP1785810A1に開示されている。
【特許文献１】ＤＥ１０１２７４２４Ａ１
【特許文献２】ＤＤ２９９７８２Ａ７
【発明の開示】
【発明が解決しようとする課題】
【０００４】
本発明の課題は、従来技術の欠点を低減するために受領信号を形成する装置および方法を提供することである。
【課題を解決するための手段】
【０００５】
この課題は、請求項1による装置によって、また請求項7による方法によって解決される。
【０００６】
本発明の装置は、プロセッサと、少なくとも1つの周辺機器と、第1の論理回路とを有する、受領信号の形成装置であって、
前記プロセッサは、プロセッサクロック信号によりクロッキングされ、中断命令に基づいて静止状態からウェークアップされ、動作状態において前記中断命令を処理し、該中断命令の処理後または該中断命令の処理中に、プロセッサクロック信号に同期する受領信号を形成し、
前記少なくとも1つの周辺機器は、前記プロセッサクロック信号には非同期で経過する周辺機器クロック信号によりクロッキングされ、前記中断命令を周辺機器クロック信号に同期して前記プロセッサに送信し、
前記第1の論理回路は、プロセッサクロック信号に同期する受領信号から周辺機器クロック信号に同期する受領信号を形成し、
該同期する受領信号により周辺機器に対して、中断命令が処理されたことが通知される、ことを特徴とするように構成される。
【０００７】
本発明の方法は以下の方法ステップを有する：
・周辺機器クロック信号に同期した中断命令が、周辺機器クロック信号によりクロッキングされる周辺機器によって形成されるステップ、
・プロセッサが前記中断命令に基づきウェークアップされ、これによりプロセッサはその静止状態から動作状態に移行され、プロセッサにより中断命令が処理され、プロセッサは周辺機器クロック信号とは非同期のプロセッサクロック信号によりクロッキングされるステップ、
・プロセッサクロック信号に同期した受領信号が、プロセッサが前記中断命令を処理した後に形成されるか、またはプロセッサが前記中断命令を処理するときに形成されるステップ、そして
・周辺機器クロック信号に同期した受領信号が、前記プロセッサクロック信号に同期した前記受領信号から第1の論理回路によって形成され、これにより周辺機器に対して中断命令が処理されたことを通知するステップ。
【発明を実施するための最良の形態】
【０００８】
本発明の装置は、プロセッサと、少なくとも1つの周辺機器を有する。周辺機器とプロセッサは、それぞれ異なり、相互に非同期のクロック信号によりクロッキングされる。プロセッサは通常、エネルギーを節約する静止状態にあり、周辺機器から発せられる中断命令によりウェークアップされ、動作状態で中断命令を処理する。  中断命令の処理中、または中断命令が処理された後、プロセッサは、プロセッサクロック信号に同期した受領信号を形成する。このプロセッサに同期した受領信号は、周辺機器に対して中断命令が処理されたことを通知するために形成される。これにより周辺機器は中断命令を再度送信することがない。受領信号に基づき周辺機器がリセットされ、中断命令を再度送信しない。プロセッサクロック信号に同期する受領信号は、プロセッサを静止状態に再び移行させるために使用することもできる。
【０００９】
プロセッサと周辺機器は相互に非同期で動作する。とりわけプロセッサは、周辺機器よりも速いクロックにより動作することができる。すなわち、周辺機器クロック信号のクロック周波数はプロセッサクロック信号のクロック周波数よりも低くすることができる。このことは本発明の装置のエネルギー節約につながる。なぜなら周辺機器は緩慢にクロッキングされることにより、比較的に高い周波数によりクロッキングされる場合よりも可能性としてわずかしかエネルギーを消費しないからである。これに対してプロセッサは通常、静止状態にあり、中断命令を処理するときにだけ動作状態となる。したがって比較的に高いクロック周波数によるクロッキングは、比較的わずかであってもエネルギー消費に悪影響を及ぼす。
【００１０】
とりわけプロセッサが、周辺機器よりも高い周波数によりクロッキングされる場合、プロセッサクロック信号に同期する受領信号が、周辺機器の次のクロックサイクルの時点まで持続しておらず、周辺機器が受領信号を受け取らないことがある。このことは回避するために、本発明の装置は第1の論理回路を有する。この第1の論理回路はプロセッサクロック信号に同期する受領信号から、周辺機器クロック信号に同期する受領信号を形成する。したがって周辺機器が確実に受領信号を受け取り、したがい不所望に再度、同じ中断命令をプロセッサに発することがない。
【００１１】
本発明の装置の変形実施例では、第1の論理回路は第1のフリップフロップと第2のフリップフロップを有する。この第1のフリップフロップはプロセッサクロック信号によりクロッキングされ、その入力信号は少なくとも間接的に、プロセッサクロック信号に同期する受領信号である。第2のフリップフロップは、周辺機器クロック信号に同期する受領信号を形成するためのものであり、周辺機器クロック信号によりクロッキングされ、その入力信号は第1のフリップフロップの出力信号である。第1の論理回路の第1のフリップフロップによりプロセッサクロック信号に同期する受領信号が捕獲され、引き続き、第2のフリップフロップにより周辺機器クロック信号に同期するように同期化される。この変形実施例によれば、第1の論理回路の第1のフリップフロップにはプロセッサクロック信号に同期する受領信号が直接供給されるか、またはプロセッサクロック信号に同期する受領信号から導出された信号が供給される。
【００１２】
第2のフリップフロップの代わりに、カスケード接続された少なくとも2つのフリップフロップを使用することができる。このことは第1の論理回路の安定性を高める。
【００１３】
本発明の装置の別の変形実施例によれば、この装置は第2の論理回路を有し、この第2の論理回路は周辺機器クロック信号に同期して送信された中断命令から、プロセッサクロック信号に同期する連続的な中断命令を形成し、この連続的な中断命令がプロセッサに供給される。周辺機器から発する中断命令は、周辺機器クロック信号に同期しており、プロセッサクロック信号には非同期である。とりわけ使用されるプロセッサが自分のプロセッサクロック信号に同期する中断命令しか処理できない場合、この実施形態に基づき、プロセッサは確実に中断命令を受け取ることができる。
【００１４】
第2の論理回路は、シフトレジスタと、このシフトレジスタに後置接続された論理回路と、フリップフロップとを有することができる。前記シフトレジスタの入力信号は、周辺機器クロック信号に同期して送信された中断命令、またはこの中断命令に同期する信号である。前記論理回路は、シフトレジスタの出力信号のエッジを識別するためのものである。前記フリップフロップは、プロセッサクロック信号によりクロッキングされ、その入力信号はエッジを識別するための論理回路の出力信号であり、その出力信号はプロセッサクロック信号に同期する連続的な中断命令である。シフトレジスタは例えば直列に接続された少なくとも2つのフリップフロップを有し、これらはプロセッサクロック信号によりクロッキングされる。とりわけこのシフトレジスタは直列に接続された少なくとも3つのフリップフロップを有し、これによりシフトレジスタの安定性を高めることができる。これにより、シフトレジスタの出力信号のエッジを識別するための後置接続された論理回路がエッジ、とりわけ上昇エッジを確実に識別する。
【００１５】
第2の論理回路はまた、これが周辺機器クロック信号に同期する中断命令からプロセッサに対するウェークアップ信号を形成するように構成することができる。このウェークアップ信号は例えばプロセッサクロック信号を形成するためのクロック発生器をスイッチオンし、これによりプロセッサはその静止状態から動作状態へ切り換えられる。
【００１６】
本発明の装置は例えばホイール電子回路に使用することができる。ホイール電子回路は一般的に、タイヤの少なくとも1つのタイヤパラメータを検出するために設けられている。タイヤパラメータは例えばタイヤの空気圧である。本発明のホイール電子回路は本発明の装置の他に、タイヤパラメータを検出するための少なくとも1つのセンサと、送信器を有する。ここでプロセッサは中断命令に基づきセンサによってタイヤパラメータを検出し、タイヤパラメータに関するメッセージを形成し、これを送信器が送信する。
【００１７】
ホイール電子回路は例えばタイヤに組み込まれているか、またはタイヤが取り付けられたリムに配置される。このタイヤが装備された車両の運転時に、ホイール電子回路は自動的に相応のタイヤの空気圧を検出し、車両に配置された制御装置に無線で通知する。検出された空気圧に基づいて制御装置は例えば、タイヤの1つの空気圧が過度に低いか否かを検出し、車両を運転する人物に空気圧が過度に低いことを通知する。
【００１８】
本発明のホイール電子回路の実施形態では、周辺機器はタイマおよび/または受信器である。タイマは例えば、中断命令を周期的に形成するために設けられている。これによりホイール電子回路は周期的に、タイヤパラメータに関するメッセージをその送信器により制御装置に送信する。受信器は、受信された信号に基づいて中断命令を形成するために設けられている。受信された信号は例えば、車両に配置された制御装置から由来する。
【００１９】
本発明の実施例が例として添付図面に概略的に示されている。
図1は、タイヤにホイール電子回路が配置された車両を示す概略図である。
図２は、ホイール電子回路を示す概略図である。
図3は、ホイール電子回路の一部回路図である。
図4は、信号経過を示す線図である。
【実施例】
【００２０】
図1は、4つのタイヤ2を備える自動車1を示し、これらのタイヤには図2に詳細に示したホイール電子回路3がそれぞれ1つ配属されている。ホイール電子回路3は相応のタイヤ2に組み込むことができる。またはタイヤ2が取り付けられたリムに配置することができる。ホイール電子回路3は、それぞれのタイヤ2の空気圧を測定し、測定された空気圧に関する情報を、自動車1に配置された制御装置4に無線で伝送するために設けられている。制御装置4はこの情報を処理し、空気圧の1つが過度に低い場合、自動車を運転する人物に通知する。ホイール電子回路3は、プロセッサと少なくとも1つの周辺機器を備える装置の例である。
【００２１】
本実施例の場合、ホイール電子回路3のそれぞれはプロセッサ21、送信器22、タイマ23、圧力センサ24、受信器25およびバッテリー26を有する。プロセッサ21は例えばマイクロコントローラまたはマイクロプロセッサであり、バッテリー21はプロセッサ21、送信器22、受信器25およびタイマ23に電気エネルギーを供給する。
【００２２】
本実施例の場合、ホイール電子回路3はタイヤの目下の空気圧に関する情報を送信器22によって制御装置4に周期的に送信する。付加的に制御装置4はホイール電子回路3に問い合わせを送信することができ、この問い合わせに基づいてホイール電子回路3はタイヤ3の空気圧を検出し、送信器22によって制御装置4に通知する。この問い合わせをホイール電子回路3はその受信器25によって受信する。
【００２３】
本実施例の場合、プロセッサ21は圧力センサ24によって空気圧を検出し、空気圧に関するメッセージを形成する。このメッセージは送信器22によって制御装置4に通知される。エネルギーを節約するために、プロセッサ21は通常はエネルギーを節約するスリープモードまたは静止状態にある。プロセッサ21が空気圧に関するメッセージを形成すべき場合だけ、プロセッサは中断命令によってウェークアップされる。すなわちタイマ23によって周期的に、または場合により受信器25によりウェークアップされる。したがってタイマ23と受信器25は、中断命令をプロセッサ21に発令する周辺機器である。
【００２４】
中断命令に基づいてプロセッサ21はウェークアップされる。すなわちプロセッサ21は静止状態から動作状態に移行され、中断命令を処理する。中断命令が処理されると、プロセッサは受領信号を形成する。この受領信号によりプロセッサ21は相応の周辺機器に対して中断命令が処理されたことを通知する。択一的に受領信号は、中断命令の処理前にすでに形成することもできる。受領信号は、プロセッサ21を再び静止状態に移行させるために使用することもできる。それ以外の場合、別の中断命令が発生する。図3は、本実施例でこのシナリオを実行する回路を示す。図4は、プロセッサ21により形成される受領信号QSの信号経過を示す。
【００２５】
プロセッサ21が動作状態にある場合、プロセッサ21はプロセッサクロック信号CLK1によりクロッキングされる。このプロセッサクロック信号は本実施例では第1のクロック発生器27により形成される。第1のクロック発生器27も同様に通常は静止状態にあり、ウェークアップ信号WSによりウェークアップされ、プロセッサクロック信号CLK1を形成し、バッテリー26によりエネルギーが供給される。プロセッサクロック信号CLK1は例えば4MHzのクロック周波数を有する。
【００２６】
周辺機器、すなわち受信器25とタイマ23はプロセッサ21とは異なり常に動作状態にあり、周辺機器クロック信号CLK2により常時クロッキングされる。ここでタイマ23と受信器25は、それぞれ異なる周辺機器クロック信号によりクロッキングすることができる。しかし本実施例では、同じ周辺機器クロック信号CLK2によりクロッキングされる。周辺機器クロック信号は例えば第2のクロック発生器28により形成され、周辺機器クロック信号CLK2のクロック周波数はプロセッサクロック信号CLK1のクロック周波数よりも格段に低い。周辺機器クロック信号CLK2は例えば90kHzである。
【００２７】
周辺機器の1つがプロセッサ21に対して、目下の空気圧に関するメッセージの形成を要求する場合、この周辺機器、例えばタイマ23は信号31を形成し、この信号が第1のフリップフロップFF1に供給される。」第1のフリップフロップFF1は、相応の周辺機器、ここではタイマ23の周辺機器クロック信号によりクロッキングされる。第1のフリップフロップFF1の出力信号はクロック信号として第2のフリップフロップFF2に供給される。第2のフリップフロップFF2の入力端は論理「1」にセットされており、したがって第2のフリップフロップFF2の出力信号FF2Sは第1のフリップフロップFF1の出力信号FF1Sの上昇エッジにより「1」にセットされる。第2のフリップフロップFF2の出力信号FF2SはORゲート32に供給される。このORゲートの出力端には、プロセッサ21の第1のクロック発生器27に対するウェークアップ信号WSが発生する。図3には詳細に図示されていない入力信号がORゲート32に対して受信器25から発生する。すなわち、タイマ23または受信器25がプロセッサ21に対する中断命令を有している場合、第1のクロック発生器27をウェークアップするためのウェークアップ信号WSは論理「1」である。第1のクロック発生器27に対するウェークアップ信号WSが論理「0」から論理「1」に切り替わると、第2のクロック発生器27は所定時間後にプロセッサクロック信号CLK1の形成を開始する。これによりプロセッサ21は静止状態から動作状態に切り替わる。本実施例では、ウェークアップ信号WSは時点t0で、プロセッサクロック信号CLK1は時点t1で形成される。
【００２８】
第2のフリップフロップFF2の出力信号FF2Sはさらにシフトレジス列に供給される。このシフトレジスタ列は本実施例では、第3、第4、および第5のフリップフロップFF3、FF4、FF5を有し、これらはそれぞれプロセッサクロック信号によりクロッキングされる。ここで第3のフリップフロップFF3は出力信号FF3Sを、第4のフリップフロップFF4は出力信号FF4Sを、第5のフリップフロップFF5は出力信号FF5Sを形成する。
【００２９】
第4と第5のフリップフロップFF4、FF5の出力信号FF4S、FF5Sは論理回路33に供給される。この論理回路は本実施例の場合、第5のフリップフロップFF5の出力信号FF5Sの上昇エッジを識別し、これに基づき第6のフリップフロップFF6の入力端に論理「1」を印加する。この第6のフリップフロップFF6も同様にプロセッサクロック信号CLK1によりクロッキングされる。第6のフリップフロップFF6の出力信号は割り込み信号INTERであり、時点t2で発生し、これに基づきプロセッサ21はタイマ23の中断命令の処理を開始する。
【００３０】
本実施例では、第3、第4および第5のフリップフロップFF3〜FF5を有するシフトレジスタと、第6のフリップフロップFF6によって、割り込み信号INTERがプロセッサ21と同期して経過することが保証される。
【００３１】
プロセッサ21が中断命令を処理すると、プロセッサは受領信号QSとアドレス信号QSadを形成する。このアドレス信号によって中断命令を発令した周辺機器がアドレシングされる。本実施例では、アドレス信号QSadはタイマ23に対して規定されている。アドレス信号QSadが、受領信号QSが形成された後に初めて発生するようにするため、この受領信号は遅延素子36によって半プロセッサクロックCLK1だけシフトされる。これにより受領信号QSdが形成され、この信号は受領信号QSと同じようにプロセッサクロックCLK1に同期している。
【００３２】
本実施例で、プロセッサ21は受領信号QSを時点t3で形成する。同じ時点t3でアドレス信号QSadが形成される。
【００３３】
遅延された受領信号QSdとアドレス信号QSadは論理回路33および別の論理回路34に供給される。論理回路34は第2のフリップフロップFF2をリセットし、これにより第2のフリップフロップFF2の出力信号FF2Sは再び論理「0」にリセットされ、ウェークアップ信号WSは再び遮断される。それ以外の場合、別の中断命令が例えば受信器25により発生する。したがってプロセッサ21は再び静止状態に復旧される。これによりホイール電子回路3の、プロセッサクロックCLK1に同期する部分は、中断命令の処理後に、中断命令が処理されたことを識別する。
【００３４】
中断命令を発する周辺機器が、中断命令が処理されたことに関する情報を受け取るようにするため、ホイール電子回路3は第7、第8および第9のフリップフロップFF7〜FF9を有する。これらのうち第7のフリップフロップFF7はプロセッサクロック信号CLK1により、第8と第9のフリップフロップFF8、FF9は周辺機器クロック信号CLK2によりクロッキングされる。
【００３５】
本実施例では、受領信号QSとアドレス信号QSadがまず論理回路35に供給される。この論理回路はアドレス信号QSadを、受領信号QSがタイマ23に対して規定されたものであるか否かについて評価する。
【００３６】
受領信号QSがタイマ23に対して規定されたものであれば、第7のフリップフロップFF7の入力信号は論理「1」にセットされ、受領信号ＱＳがプロセッサクロック信号CLK1に同期して捕獲される。プロセッサクロック信号CLK1によってクロッキングされる第7のフリップフロップFF7の出力信号FF7Sは、周辺機器クロック信号CLK2によりクロッキングされる第8のフリップフロップFF8に供給される。第8のフリップフロップFF8の出力信号FF8Sは、同様に周辺機器クロック信号CLK2によりクロッキングされる第9のフリップフロップFF9に供給される。第9のフリップフロップFF9の出力信号FF9Sは周辺機器クロック信号CLK2に同期しており、タイマ23に受領信号として供給される。
【００３７】
したがって第7のフリップフロップFF7は、プロセッサ21により形成され、プロセッサクロック信号CLK1と同期する連続な受領信号QSを捕獲する。第8と第9のフリップフロップFF8、FF9は受領信号QSをタイマ23に対して同期化する。すなわち周辺機器クロック信号CLK2に同期する出力信号FF9Sを形成し、この出力信号FF9Sはタイマ23に対する受領信号として経過する。このようにしてホイール電子回路3は新たな中断命令を再び受信することができる。
【図面の簡単な説明】
【００３８】
【図１】図1は、タイヤにホイール電子回路が配置された車両を示す概略図である。
【図２】図2は、ホイール電子回路を示す概略図である。
【図３】図3は、ホイール電子回路の一部回路図である。
【図４】図4は、信号経過を示す線図である。
【符号の説明】
【００３９】
1  自動車
2  タイヤ
3  ホイール電子回路
4  制御装置
21  プロセッサ
22  送信器
23  タイマ
24  圧力センサ
25  受信器
26  バッテリー
27  第1のクロック発生器
28  第2のクロック発生器
31  信号
32  ＯＲゲート
33〜35  論理回路
36  遅延素子
CLK1  プロセッサクロック信号
CLK2  周辺機器クロック信号
FF1〜FF9  フリップフロップ
FF1S〜FF9S  出力信号
INTERS  割り込み信号
QS  受領信号
QSd  遅延された受領信号
QSad  アドレス信号
【図１】
2009282780.tif 000003
【図２】
2009282780.tif 000004
【図３】
2009282780.tif 000005
【図４】
2009282780.tif 000006